(57)【特許請求の範囲】
【請求項１】
車輌の検知、又は、発行釦のＯＮに従って、非接触式のＩＣタグを用いて構成した駐車チップに少くとも発行時刻を記録して発行して、発行口からこの駐車チップを抜き取ると、車輌の入庫を許可するように構成した駐車券発行装置であって、
装置内に設けたチップ供給部から供給されて来る駐車チップを受け入れる収容室を少くとも２箇所以上有し、且つ、モータによって周方向に正転又は逆転しながら上記収容室内の駐車チップを必要な位置に移送する振り分けディスクを設けると共に、この振り分けディスクが回転する軌跡上には、上記収容室に収容されている駐車チップと非接触で交信して入庫情報のリード・ライトを行う非接触式読取り書込部と、振り分けディスクの収容室に収容されている駐車チップを、装置の外部に設けた発行口に発行する発行手段と、上記収容室内の駐車チップを装置内部に回収する回収手段とを設けたことを特徴とするＩＣタグを用いた駐車券発行装置。
【請求項２】
装置内に設けた受け板上に、少くとも２個以上の収容室を設けた振り分けディスクをモータによって正逆回転自在に設けると共に、この振り分けディスクの回転軌跡上に、駐車チップの受け入れポジションと、駐車チップに対して入庫情報のリード・ライトを非接触で行うアクセスポジションと、駐車チップを一時待機させる待機ポジションと、駐車チップを装置外部に発行する発行ポジションと、駐車チップを装置内部に回収する回収ポジションを設けて、駐車チップに対するリード・ライトの内容に従って上記モータが振り分けディスクを正逆回転するか、又は、回転させずに、収容室内の駐車チップを上記いずれかのポジションに位置せしめるように構成したことを特徴とする請求項１記載のＩＣタグを用いた駐車券発行装置。
【請求項３】
駐車チップの受け入れポジションと、駐車チップのアクセスポジションと、駐車チップを装置外部へ発行する発行ポジションを、振り分けディスクの回転軌跡上の同一ポジションに設けると共に、振り分けディスクの各収容室の底板と成る受け板のうち、上記同一ポジションとなる部分を開口し、この開口部分には開放すると収容室内の駐車チップを装置外部へ排出して発行することができる排出ゲートを開閉自在に設け、且つ、排出ゲートには非接触式読取り書込部を設けたことを特徴とする請求項２記載のＩＣタグを用いた駐車券発行装置。
【請求項４】
振り分けディスクの受け入れポジションに対してチップの供給用ガイド口を二つ設け、これ等二つのガイド口のうち、ガイド通路を連設した一方のガイド口を新規駐車チップの供給用と成し、他方のガイド口を装置外部から投入された定期券等のＩＣタグ製パスチップの受け入れ用としたことを特徴とする請求項１、２又は３記載のＩＣタグを用いた駐車券発行装置。
【請求項５】
発行釦がＯＮされると、ガイド通路の途中に設けチップストッパが係止を解いて、新規駐車チップを一方のガイド口より振り分けディスクの受け入れポジションに投入して、情報のリード・ライトを行った後、発行口に発行するように構成すると共に、上記発行釦がＯＮされずに他方のガイド口を通して定期券のパスチップが振り分けディスクの受け入れポジションに投入された場合は、上記新規駐車チップの発行は行わずに、上記パスチップに対して情報のリード・ライトを行った後、排出口の排出ゲートを開いて発行口に送り戻すように構成し、且つ、発行口に発行及び送り戻された上記の駐車チップ又はパスチップを発行口から引き取ると、入庫ゲートが開いて車輌の入庫を可能にするように構成したことを特徴とする請求項１、２、３又は４記載のＩＣタグを用いた駐車券発行装置。
【請求項６】
車輌の検知によって精算処理が可能な状態となり、非接触式のＩＣタグを用いて構成した入庫時刻記録済みの駐車チップを投入すると、現在時刻から駐車料金を演算して利用者に知らしめ、駐車料金の精算が済むと車輌の出庫を許可するように構成した駐車料金精算機であって、
投入口から投入された駐車チップを受け入れる収容室を少くとも２箇所以上有し、且つ、モータによって周方向に正転又は逆転しながら上記収容室内の駐車チップを必要な位置に移送する振り分けディスクを設けると共に、この振り分けディスクが回転する軌跡上には、上記収容室に収容されている駐車チップと非接触で交信して情報のリード・ライトを行う非接触式読取り書込部と、振り分けディスクの収容室に収容されている駐車チップを、装置の外部に送り戻す排出手段と、上記収容室内の駐車チップを装置内部に回収する回収手段とを設けたことを特徴とするＩＣタグを用いた駐車料金精算装置。
【請求項７】
装置内に設けた受け板上に、少くとも２個以上の収容室を設けた振り分けディスクをモータによって正逆回転自在に設けると共に、この振り分けディスクの回転軌跡上に、駐車チップの受け入れポジションと、駐車チップに対して情報のリード・ライトを非接触で行うアクセスポジションと、駐車チップを一時待機させる待機ポジションと、駐車チップを装置外部に送り戻す排出ポジションと、駐車チップを装置内部に回収する回収ポジションを設けて、駐車チップに対するリード・ライトの内容に従って上記モータが振り分けディスクを回転するか、又は、回転させずに、収容室内の駐車チップを上記いずれかのポジションに位置せしめるように構成したことを特徴とする請求項６記載のＩＣタグを用いた駐車料金精算装置。
【請求項８】
駐車チップの受け入れポジションと、駐車チップのアクセスポジションと、駐車チップを装置外部へ排出して送り戻す排出ポジションを、振り分けディスクの回転軌跡上の同一ポジションに設けると共に、振り分けディスクの各収容室の底板と成る受け板のうち、上記同一ポジションとなる部分を開口し、この開口部分には開放すると収容室内の駐車チップを装置外部へ排出して送り戻すことができる排出ゲートを開閉自在に設け、且つ、排出ゲートには非接触式読取り書込部を設けたことを特徴とする請求項６又は７記載のＩＣタグを用いた駐車料金精算装置。
【請求項９】
駐車チップが投入口から受け入れポジションに位置する振り分けディスクの収容室内に投入されると、非接触式読取り書込部が駐車チップに記録されている入庫時刻を含む情報を読取って計算部に送り、この読取り情報から駐車料金を算出するように構成する一方、モータが振り分けディスクを回転して上記の駐車チップを待機ポジションに移送することにより、新たに受け入れポジションに位置した振り分けディスクの収容室への非接触式サービスチップの投入を待ち、サービスチップの投入があると、非接触式読取り書込部がサービスチップに記録されているサービス情報を読取って計算部に送り、上記駐車チップから読取った情報に基づいて演算した駐車料金からサービス情報を減算して新たな駐車料金を算出し、その後、上記モータが振り分けディスクを回転して、各収容室に収容されているサービスチップと駐車チップを回収ポジションに移動して回収するように構成すると共に、上記サービスチップの投入がない場合は、振り分けディスクを回転して駐車チップを回収ポジションに移動するように構成したことを特徴とする請求項６、７、又は８記載のＩＣタグを用いた駐車料金精算装置。
【請求項１０】
振り分けディスクを回転することによって、収容室へのサービスチップの投入と、読取り書込部によるサービス情報の読取りと、このサービス情報に基づく駐車料金の減額と、サービスチップを回収ポジションへ送る回収動作を、精算終了まで繰返し行うように構成したことを特徴とする請求項６、７、８又は９記載のＩＣタグを用いた駐車料金精算装置。
【請求項１１】
駐車チップを待機ポジションに移動する際の振り分けディスクの回転方向と、サービスチップを回収ポジションに移動する際の振り分けディスクの回転方向を、逆向きに構成したことを特徴とする請求項６、７、８、９又は１０記載のＩＣタグを用いた駐車料金精算装置。
【請求項１２】
振り分けディスクの収容室に投入されて駐車料金の精算処理を終えた駐車チップを、アクセスポジションで読取り書込部が廃券処理した後、回収ポジションに移動して回収するように構成する一方、上記の駐車チップに代えてパスチップが振り分けディスクの収容室に投入された場合には、アクセスポジションにて読取り書込部が出庫情報を記録した後、排出ゲートを開いて返却口に返却して、車輌の出庫を許可するように構成したことを特徴とする請求項６、７、８、９、１０又は１１記載のＩＣタグを用いた駐車料金精算装置。
【発明の詳細な説明】
【０００１】
【発明の属する技術分野】
本発明は、駐車場への車輌の入庫と出庫を管理することができる管理装置に関するものであって、具体的には駐車カードに代えてＩＣ素子を埋め込んだＩＣタグを用いて車輌の入庫と出庫を管理することができるＩＣタグを用いた駐車券発行装置と駐車料金精算装置に関するものである。
【０００２】
【従来の技術】
駐車場への入庫管理と、駐車料金の精算を行う出庫管理を行う装置として、従来より、例えば実公平２−４１７０２号公報に見られるようなカード発行機を駐車場の入庫口に設置し、車輌の検知によってこのカード発行機から発行される駐車券（磁気カード）を抜き取ると、入口ゲートが開いて車輌の入庫を可能にし、また、出庫時にはこの駐車券を出庫口に設けた料金精算機に差込むと、駐車券に記録されている入庫時刻から駐車料金（駐車時間）が算出され、この算出した料金の精算を済ませると、出口ゲートが開いて車輌の出庫を可能にする構成の駐車場管理装置が使用されている。
【０００３】
しかし、前記磁気カード製の駐車券を用いた処理装置は、情報を書込む媒体として紙製又はプラスチック製の磁気カードを使用し、この磁気カードの磁気ストライプに磁気ヘッドを接触させて情報をリード・ライトするため、使用するうちにカードが曲げられたり痛んだりして、磁気データが壊れたりする消耗的な面があり、何度も繰返し使用できない問題と、始めに挿入したカードを一時的に待機させて保留し、引続き２枚目のカードを挿入して料金の割引き等を行う場合に、精々１枚のカードを待機させるのが限度で、何枚ものカードを挿入して更に料金の割引き率を高くするような処理は、構造的に成し得ない問題があった。
【０００４】
これに対して、例えば特開平３−２６５０８３号公報や特開２０００−１６３５１８号公報等に見られる処理システムは、ＩＣコインを用いたりＩＣタグを用いた非接触式処理システムを使用するため、磁気カードを使用する上記従来の処理装置に比較して、情報量が格段に多く、また、非接触であるから長期間の使用を可能とする優れた耐久性を備えている。
【０００５】
【発明が解決しようとする課題】
ところが、ＩＣコインを用いた処理装置に付いては、ＩＣコインを上から下に転動させながら情報のリード・ライトを行うものであるから、装置全体が上下方向に延びて比較的大型化する問題と、コインを一旦待機させて保留したり、これを再び戻したりする動作を実現するためには、技術的に難しい面があって構造が複雑化し、製造コストが高くなる問題があった。また、上記ＩＣタグを用いた処理装置に付いては、上記公報に見られるように搬送手段としてベルトコンベアを使用しているため、益々構造の複雑化を招くと共に、処理動作が遅くて迅速な対応ができない問題もあって、いずれも駐車場の駐車券発行機や料金精算機としては不適切なものであった。
【０００６】
従って本発明の技術的課題は、紙カードやプラスチックカード製の磁気に代えて、非接触にて時刻等の情報をリード・ライトでき、且つ、構造的に丈夫なＩＣタグ製の駐車チップを使用すると共に、駐車チップの受け入れとリード・ライト、待機、回収等の各種機能をコンパクトにまとめて、装置全体の小型化と、処理動作のスピードアップを可能にしたＩＣタグを用いた駐車券発行装置と駐車料金精算装置を提供することである。
【０００７】
【課題を解決するための手段】
（１）  上記の技術的課題を解決するために、本発明では前記請求項１に記載の如く、車輌の検知、又は、発行釦のＯＮに従って、非接触式のＩＣタグを用いて構成した駐車チップに少くとも発行時刻を記録して発行して、発行口からこの駐車チップを抜き取ると、車輌の入庫を許可するように構成した駐車券発行装置であって、装置内に設けたチップ供給部から供給されて来る駐車チップを受け入れる収容室を少くとも２箇所以上有し、且つ、モータによって周方向に正転又は逆転しながら上記収容室内の駐車チップを必要な位置に移送する振り分けディスクを設けると共に、この振り分けディスクが回転する軌跡上には、上記収容室に収容されている駐車チップと非接触で交信して入庫情報のリード・ライトを行う非接触式読取り書込部と、振り分けディスクの収容室に収容されている駐車チップを、装置の外部に設けた発行口に発行する発行手段と、上記収容室内の駐車チップを装置内部に回収する回収手段とを設けるように構成している。
【０００８】
（２）  また、本発明では前記請求項２に記載の如く、装置内に設けた受け板上に、少くとも２個以上の収容室を設けた振り分けディスクをモータによって正逆回転自在に設けると共に、この振り分けディスクの回転軌跡上に、駐車チップの受け入れポジションと、駐車チップに対して入庫情報のリード・ライトを非接触で行うアクセスポジションと、駐車チップを一時待機させる待機ポジションと、駐車チップを装置外部に発行する発行ポジションと、駐車チップを装置内部に回収する回収ポジションを設けて、駐車チップに対するリード・ライトの内容に従って上記モータが振り分けディスクを正逆回転するか、又は、回転させずに、収容室内の駐車チップを上記いずれかのポジションに位置せしめるように構成している。
【０００９】
（３）  また、本発明では前記請求項３に記載の如く、駐車チップの受け入れポジションと、駐車チップのアクセスポジションと、駐車チップを装置外部へ発行する発行ポジションを、振り分けディスクの回転軌跡上の同一ポジションに設けると共に、振り分けディスクの各収容室の底板と成る受け板のうち、上記同一ポジションとなる部分を開口し、この開口部分には開放すると収容室内の駐車チップを装置外部へ排出して発行することができる排出ゲートを開閉自在に設け、且つ、排出ゲートには非接触式読取り書込部を設けるように構成している。
【００１０】
（４）  また、本発明では前記請求項４に記載の如く、振り分けディスクの受け入れポジションに対してチップの供給用ガイド口を二つ設け、これ等二つのガイド口のうち、ガイド通路を連設した一方のガイド口を新規駐車チップの供給用と成し、他方のガイド口を装置外部から投入された定期券等のＩＣタグ製パスチップの受け入れ用とするように構成している。
【００１１】
（５）  また、本発明では前記請求項５に記載の如く、発行釦がＯＮされると、ガイド通路の途中に設けチップストッパが係止を解いて、新規駐車チップを一方のガイド口より振り分けディスクの受け入れポジションに投入して、情報のリード・ライトを行った後、発行口に発行するように構成すると共に、上記発行釦がＯＮされずに他方のガイド口を通して定期券のパスチップが振り分けディスクの受け入れポジションに投入された場合は、上記新規駐車チップの発行は行わずに、上記パスチップに対して情報のリード・ライトを行った後、排出口の排出ゲートを開いて発行口に送り戻すように構成し、且つ、発行口に発行及び送り戻された上記の駐車チップ又はパスチップを発行口から引き取ると、入庫ゲートが開いて車輌の入庫を可能にするように構成している。
【００１２】
（６）  また、本発明では前記請求項６に記載の如く、車輌の検知によって精算処理が可能な状態となり、非接触式のＩＣタグを用いて構成した入庫時刻記録済みの駐車チップを投入すると、現在時刻から駐車料金を演算して利用者に知らしめ、駐車料金の精算が済むと車輌の出庫を許可するように構成した駐車料金精算機であって、投入口から投入された駐車チップを受け入れる収容室を少くとも２箇所以上有し、且つ、モータによって周方向に正転又は逆転しながら上記収容室内の駐車チップを必要な位置に移送する振り分けディスクを設けると共に、この振り分けディスクが回転する軌跡上には、上記収容室に収容されている駐車チップと非接触で交信して情報のリード・ライトを行う非接触式読取り書込部と、振り分けディスクの収容室に収容されている駐車チップを、装置の外部に送り戻す排出手段と、上記収容室内の駐車チップを装置内部に回収する回収手段とを設けるように構成している。
【００１３】
（７）  また、本発明では前記請求項７に記載の如く、装置内に設けた受け板上に、少くとも２個以上の収容室を設けた振り分けディスクをモータによって正逆回転自在に設けると共に、この振り分けディスクの回転軌跡上に、駐車チップの受け入れポジションと、駐車チップに対して情報のリード・ライトを非接触で行うアクセスポジションと、駐車チップを一時待機させる待機ポジションと、駐車チップを装置外部に送り戻す排出ポジションと、駐車チップを装置内部に回収する回収ポジションを設けて、駐車チップに対するリード・ライトの内容に従って上記モータが振り分けディスクを回転するか、又は、回転させずに、収容室内の駐車チップを上記いずれかのポジションに位置せしめるように構成している。
【００１４】
（８）  また、本発明では前記請求項８に記載の如く、駐車チップの受け入れポジションと、駐車チップのアクセスポジションと、駐車チップを装置外部へ排出して送り戻す排出ポジションを、振り分けディスクの回転軌跡上の同一ポジションに設けると共に、振り分けディスクの各収容室の底板と成る受け板のうち、上記同一ポジションとなる部分を開口し、この開口部分には開放すると収容室内の駐車チップを装置外部へ排出して送り戻すことができる排出ゲートを開閉自在に設け、且つ、排出ゲートには非接触式読取り書込部を設けるように構成している。
【００１５】
（９）  また、本発明では前記請求項９に記載の如く、駐車チップが投入口から受け入れポジションに位置する振り分けディスクの収容室内に投入されると、非接触式読取り書込部が駐車チップに記録されている入庫時刻を含む情報を読取って計算部に送り、この読取り情報から駐車料金を算出するように構成する一方、モータが振り分けディスクを回転して上記の駐車チップを待機ポジションに移送することにより、新たに受け入れポジションに位置した振り分けディスクの収容室への非接触式サービスチップの投入を待ち、サービスチップの投入があると、非接触式読取り書込部がサービスチップに記録されているサービス情報を読取って計算部に送り、上記駐車チップから読取った情報に基づいて演算した駐車料金からサービス情報を減算して新たな駐車料金を算出し、その後、上記モータが振り分けディスクを回転して、各収容室に収容されているサービスチップと駐車チップを回収ポジションに移動して回収するように構成すると共に、上記サービスチップの投入がない場合は、振り分けディスクを回転して駐車チップを回収ポジションに移動するように構成している。
【００１６】
（１０）  また、本発明では前記請求項１０に記載の如く、振り分けディスクを回転することによって、収容室へのサービスチップの投入と、読取り書込部によるサービス情報の読取りと、このサービス情報に基づく駐車料金の減額と、サービスチップを回収ポジションへ送る回収動作を、精算終了まで繰返し行えるように構成している。
【００１７】
（１１）  また、本発明では前記請求項１１に記載の如く、駐車チップを待機ポジションに移動する際の振り分けディスクの回転方向と、サービスチップを回収ポジションに移動する際の振り分けディスクの回転方向を、逆向きに成るように構成している。
【００１８】
（１２）  また、本発明では前記請求項１２に記載の如く、振り分けディスクの収容室に投入されて駐車料金の精算処理を終えた駐車チップを、アクセスポジションで読取り書込部が廃券処理した後、回収ポジションに移動して回収するように構成する一方、上記の駐車チップに代えてパスチップが振り分けディスクの収容室に投入された場合には、アクセスポジションにて読取り書込部が出庫情報を記録した後、排出ゲートを開いて返却口に返却して、車輌の出庫を許可するように構成している。
【００１９】
上記（１）で述べた手段によれば、駐車チップが振り分けディスクの収容室に収容されると、モータが振り分けディスクを回転して駐車チップのメモリーに対する入庫情報の書込みと、駐車チップの発行又は回収を行うことができるものであって、入庫情報のリード・ライトを行う非接触式読取り書込部と、駐車チップの発行手段及び回収手段を、上記振り分けディスクの回転軌跡上にコンパクトに設けることができ、従って、駐車券発行装置全体の小型化と処理の迅速化を図ることができると共に、構造的に丈夫な駐車チップの使用により、何度でも繰返し使用することができる耐久性を発揮することを可能にする。
【００２０】
上記（２）で述べた手段によれば、駐車チップが振り分けディスクの収容室に入ると、所定の位置に於いて駐車チップのメモリに対する入庫情報のリード・ライトが行われ、このリード・ライトに基づく振り分けディスクの回転によって、収容室に収容された駐車チップが発行、回収、待機のいずれかのポジションに移送され、相応の処理が成されるものであって、振り分けディスクを正逆回転自在にした点で、各収容室に収容した駐車チップが各ポジションに移動する迄の時間を最小限にして、駐車券発行処理のスピードアップを図ることを可能にする。
【００２１】
上記（３）で述べた手段によれば、駐車チップを受け入れる受入れ部の底部を開閉自在に構成して、駐車チップの受け入れと共に、駐車チップの装置外部への発行を可能と成し、更に、この受入れ部には駐車チップの情報をリード・ライトする機能も具備させたため、送られて来る駐車チップのチエックや、入庫情報のリード・ライトの各種処理や、装置外部への排出処理を素早く行って、車輌の入庫処理を円滑に行うことを可能にする。
【００２２】
上記（４）で述べた手段によれば、駐車チップの投入をガイドするガイド口を二つにして、一方を新規駐車チップ発行用、他方を装置外部からのパスチップ  （定期券）投入受け入れ用に区別して用いるため、１台の装置で新規駐車チップの発行と、パスチップの取扱い処理を行うことができるものであって、装置全体のシンプル化と小型化を可能にする。
【００２３】
上記（５）で述べた手段によれば、発行釦をＯＮすると、入庫情報を記録した駐車チップが発行釦に発行され、また、パスチップが投入されると上記駐車チップの発行は行わずに入庫情報を記録したパスチップが発行されて、車輌の入庫を可能にするものであって、１台の駐車券発行機で駐車チップの発行と、パスチップの取扱い処理を行うことを可能にする。
【００２４】
上記（６）で述べた手段によれば、精算機に投入された駐車チップが振り分けディスクの収容室に収容されると、モータが振り分けディスクを回転して駐車チップのメモリーに記録されている入庫情報のリード・ライトに基づく駐車料金の算出と、駐車チップの排出及び回収を行うことができるものであって、情報のリード・ライトを行う非接触式読取り書込部と、駐車チップの排出手段及び回収手段を、上記振り分けディスクの回転軌跡上にコンパクトに設けることができ、従って、精算装置全体の小型化と処理の迅速化を図ることができると共に、構造的に丈夫な駐車チップの使用により、何度でも繰返し使用することができる耐久性を発揮することを可能にする。
【００２５】
上記（７）で述べた手段によれば、料金精算機に駐車チップが投入されると、所定の位置に於いて駐車チップメモリに対する入庫情報のリード・ライトが行われて駐車料金が算出され、このリード・ライトに基づく振り分けディスクの回転に基づいて、収容室に収容された駐車チップが排出、回収、待機のいずれかのポジションに移送され、相応の処理が成されるものであって、各種の状況に合せた料金計算とその処理を可能にすることができると共に、振り分けディスクを正逆回転自在にした点で、各収容室に収容したＩＣチップが各ポジションに移動する迄の時間を最小限にして、精算処理のスピードアップを図ることを可能にする。
【００２６】
上記（８）で述べた手段によれば、駐車チップを受け入れる受入れ部の底部を開閉自在に構成して、駐車チップの受け入れと共に、駐車チップの装置外部への排出を可能と成し、更に、この受入れ部には駐車チップの情報をリード・ライトする機能も具備させたため、投入された駐車チップのチエックや、情報のリード・ライトの各種処理や、精算装置外部への排出処理を素早く行って、車輌を円滑に出庫させることを可能にする。
【００２７】
上記（９）で述べた手段によれば、駐車チップが投入されると、所定の位置に於いて駐車チップメモリに対する情報のリード・ライトが行われ、このリード・ライトに基づく振り分けディスクの回転に基づいて、収容室に収容された駐車チップが排出、回収、待機のいずれかのポジションに移送され、相応の処理が成されるものであるが、特に、振り分けディスクは収容室の駐車チップを待機ポジションに位置させる待機処理が可能であるため、例えば、先ず入庫口で受け取った駐車チップを投入した後に、１枚又は複数枚のサービス用の駐車チップを順次投入して、割引サービス等の料金処理を行うことが可能であり、更に、振り分けディスクを正逆回転させることで、上記投入した駐車チップを待機位置に維持した状態のまま、多数枚（実際には無制限）のサービスチップを投入して、これを一枚づつ読取り、回収することも可能であるため、各種の状況に合せた料金計算とその処理を可能にすることを可能にする。
【００２８】
上記（１０）で述べた手段によれば、サービスチップの投入によって、割引サービス等の料金サービスを受けることができるのであるが、特に、サービスチップの投入、読取り、料金の減算、回収の各動作を、精算終了まで繰返し行うことができるため、実際には無制限にサービスチップを使用することを可能にする。
【００２９】
上記（１１）で述べた手段によれば、振り分けディスクの正逆回転により、複数枚のサービスチップを交互に待機ポジションに移動したり、回収ポジションに移動することができるため、複数枚のサービスチップを投入した場合であっても、サービスチップによる駐車料金の減額処理を円滑に、且つ、正確に進めることを可能にする。
【００３０】
上記（１２）で述べた手段によれば、使用済みの駐車チップを廃券処理して回収するため、不正な再使用を防止できると共に、駐車チップはＩＣタグを用いて構成されているため、廃券情報等の書込み情報を消去することによって、これを再び新規駐車チップとして繰返し再利用することができ、更に、駐車チップに代えて精算機にパスチップが投入された場合は、不正使用防止のために「出庫情報」を記録してこれを返却口に返却し、駐車料金の精算を行わずに車輌の出庫を可能にする。
【００３１】
以上の如くであるから、上記（１）〜（１２）で述べた各手段によって、上述した技術的課題を解決して、前記従来の技術の問題点を解消することができる。
【００３２】
【発明の実施の形態】
以下に、本発明に係るＩＣタグを用いた駐車券発行装置及び駐車料金精算装置の実施の形態を図面と共に説明すると、図１は本発明を実施した駐車場ＰＫ全体の構成を説明した構成図であって、図中、３０は入庫口に設けた駐車券発行機、３０Ａは駐車チップ発行釦、３０Ｇは入庫ゲート装置、ＰＡ，ＰＢは車輌検知センサで、この検知センサＰＡが車輌を検知した後、利用者が上記の発行釦３０ＡをＯＮすると、図２に示した発行口３０Ｄに入庫時刻（現在時刻）を記録したＩＣ素子を埋め込んだＩＣタグ製の駐車チップＭＣ（図４参照）が発行され、この駐車チップＭＣを発行口３０Ｄから抜き取ると、入庫ゲート装置３０Ｇが入庫ゲートを開いて車輌の入庫を可能とし、上記検知センサＰＢが入庫車輌の通過を検知すると、上記の入庫ゲートを閉じるように構成されている。
【００３３】
尚、図２は駐車券発行機３０の正面図で、図中、３０Ｂは各種のメッセージを表示する表示器、３０Ｃは駐車チップＭＣと同様にＩＣタグを用いて構成した定期券のようなパスチップＳＣ（図４参照）用の投入口であって、投入口３０Ｃから投入されたパスチップＳＣは、入庫情報が書き込まれた後、上記の発行口３０Ｄに送り戻される仕組に成っている。
【００３４】
更に図１に於いて、４０は上記駐車場ＰＫの出庫口に設けた駐車料金精算機、４０Ｇは出庫ゲート装置、ＰＣとＰＤは車輌検知センサーで、この車輌検知センサーＰＣが車輌を検知すると、料金精算機４０が精算可能な状態になり、利用者が入庫時に受け取った駐車チップＭＣをチップ投入口４０Ｂ（図３参照）に投入すると、入庫時刻から駐車料金が算出され、この駐車料金の精算をすませると、上記の出庫ゲート装置４０Ｇがゲートを開いて車輌の出庫を可能と成し、次いで、車輌検知センサーＰＤが出庫車輌の通過を検知すると、ゲートを閉じる仕組に成っている。
【００３５】
尚、図３は駐車料金精算機４０の構成を説明した正面図であって、図中、４０Ａは駐車料金等を表示する表示器、４０Ｃは紙幣投入口、４０Ｄは係員呼出釦、４０Ｅは領収書発行口、４０Ｆはコイン投入口、４０Ｈは精算中止釦、４０Ｊは釣銭払出口を示し、また、４０Ｂ′は前述したパスチップＳＣや、精算に使用できずに返却された駐車チップＭＣ、或は、いたずらや間違って投入されたその他の異物等の返却口を示す。尚、上記のパスチップＳＣはチップ投入口４０Ｂから投入する仕組に成っている。
【００３６】
次に、上記駐車券発行機３０と駐車料金精算機４０に使用して、車輌の入出庫を具体的に処理するＩＣチップリーダライタ部の具体的な構造を図面を参照しながら説明する。
【００３７】
図４は上記ＩＣチップリーダライタ部全体を示した側断面図、図５はその平面図、図６はその要部を説明した平面図、図７はその側断面図であって、これ等の図面に於いて符号１で全体的に示したＩＣチップリーダライタ部は、ベース１Ｋの上部に斜め下方に傾斜させて取付けた受け板１Ａ上に、複数の収容室１０Ａ…を設けた振り分けディスク１０を回転自在に取付け、これ等いずれかの収容室１０Ａに投入した新規に発行された駐車チップＭＣ、又は、装置外部から送り込まれたパスチップＳＣや、図８乃至図１０に示したサービスチップＫＣを、ステッピングモータ１１によって振り分けディスク１０の回転軌跡上に設けたアクセスポジション、待機ポジション、排出ポジション、回収ポジションのいずれかに移送することによって、各チップＭＣ，ＳＣ，ＫＣのメモリ（ＩＣ素子）に対して非接触にて各種の情報をリード・ライトしたり、これ等の各チップＭＣ，ＳＣ，ＫＣを待機させたり、装置の外部に発行したり、装置内に回収したりするように構成されている。
【００３８】
更に図中、２，２は上記の振り分けディスク１０の上面側を跨ぐようにして、上記受け板１Ａの上面部に取付けた左右のフレーム板、３はこれ等左右のフレーム板２，２間に形成した新規に発行される駐車チップＭＣ用のガイド通路で、並設されたスベリ板３Ａとシューターカバー３Ｂとによって形成されるこのガイド通路３の先端側（下端側）は、スベリ板３Ａに連設した下側スベリ板３Ｃを経て、左右２枚のフレーム板２，２の間に２枚のガイド板７Ａ，７Ｂによって構成された第１ガイド口７に連設されていて、上記のガイド通路３を経て送られて来る駐車チップＭＣを、図６に於いて符号ＤＲで示した受け入れポジションに位置する振り分けディスク１０の収容室１０Ａに投入する仕組に成っている。
【００３９】
また、４は上記ガイド通路３に設けたチップ検出用の投入センサ、５は上記下側スベリ板３Ｃに設けた切欠部３Ｄの部分に、取付軸５Ｃを用いて回動自在に取付けた開閉レバー、６はプランジャーの先端部６Ａをこの開閉レバー５の下端部に連結することによって、開閉レバー５を図４で実線にて示した係止位置と、仮想線で示した開放位置に切換え回動することができるフィーダソレノイドで、通常時は開閉レバー５が図４で実線で示した係止位置にセットされていて、チップストッパー５Ａが駐車チップＭＣの移動を係止しているが、上記のフィーダソレノイド６がＯＮして開閉レバー５を上記仮想線の位置に回動すると、チップストッパー５Ａが下側スベリ板３Ｃ上から引き込まれて、駐車チップＭＣの上記第１ガイド口７への落下（投入）を可能にする仕組に成っている。
【００４０】
次に、８は上記第１ガイド口７を構成する一方のガイド板７Ａと、底部ガイド板８Ａを用いて構成した第２ガイド口で、第１ガイド口７の下側に並設したこの第２ガイド口８には、装置１の外部から送り込まれて来るパスチップＳＣや、サービスチップＫＣが投入され、これを上記受け入れポジションＤＲに位置する振り分けディスク１０の収容室１０Ａに投入するように構成されている。尚、９はアクチュエータ９Ａを上記第２ガイド口８の通路上に突出することによって、上記パスチップＳＣやサービスチップＫＣの投入枚数をカウントする投入センサ、１Ｃは左右のフレーム板２，２をベース１Ｋ側に固定する取付ブラケットである。
【００４１】
下方に傾斜する受け板１Ａ上に取付けた上記の振り分けディスク１０は、受け板１Ａに沿って斜めに取付けられていて、この受け板１Ａが各収容室１０Ａの低板と成って、各ガイド口７，８から投入される各種のチップＭＣやＳＣ，ＫＣを各収容室１０Ａの中に収めることができるが、前記受け入れポジションＤＲの部分と、図５、図６に於いて右上に示した回収口１７の部分の受け板１Ａが切欠されていて、この部分で各収容室１０Ａの底面が開口されている。
【００４２】
図４と図７に於いて、１Ａ′は上記受け入れポジションＤＲの部分に形成した受け板１Ａの切欠口で、１４はこの切欠口１Ａ′を底面側より開閉するフラッパー構造の排出ゲート、１３Ａはこの排出ゲート１４の根端部をベース１Ｋ側に回動自在に取付ける回動軸、１２はプランジャ１２Ａの先端側を上記根端部の下端に連結することによって、上記の排出ゲート１４を開閉作動する発行・返却ソレノイド、１５は上記排出ゲート１４の底面に取付けたＩＣデータの読取り書込部で、上記受け入れポジションＤＲに位置する振り分けディスク１０の収容室１０Ａに収納される各チップＭＣ又はＳＣ又はＫＣは、この受け入れポジションＤＲの部分で上記読取り書込部１５によって非接触にて各種情報がリード・ライトされる仕組に成っている。
【００４３】
従って、上記構成から成るＩＣチップリーダライタ部１では、チップの受け入れポジションＤＲが、情報のリード・ライトを行うアクセスポジションと、チップを排出ゲート１４を開いて装置の外部に排出する排出ポジションを兼ねていて、装置全体の構造をコンパクトなものにしている。また、図５と図６に於いて、左右の収容室１０Ａ，１０Ａに相当する位置が、各チップＭＣ，ＳＣ，ＫＣを一時待機させる待機ポジションを示し、更に、右上の回収口１７の位置が、各チップＭＣ又はＫＣを図７に示したシュータ１７Ｓを通して装置内に回収する回収ポジションに成っている。
【００４４】
また、図６に於いて、１０Ｍ…は、各収容室１０Ａに収容されている各チップＭＣ，ＳＣ，ＫＣを、正確に上述した各ポジションに移送するために、振り分けディスク１０の外周面に設けた読取りマークで、この読取りマーク１０Ｍ…を受け板１Ａの上側部に取付けた位置決めセンサー１６で読取ることによって、前記振り分けディスク１０を回転するステッピングモータ１１の作動を制御する仕組に成っている。
【００４５】
尚、図４に於いて、１１Ａは上記振り分けディスク１０の回転軸、１０Ｓはこの回転軸１１Ａを取付けた振り分けディスク１０の中央取付け部、１Ｂは上記の回転軸１１Ａとステッピングモータ１１、並びに、前述した発行・返却ソレノイド１２を取付けるために、ベース１Ｋに設けたフレーム板、１Ｂ′は上記排出ゲート１４の回動軸１３Ａを回転自在に支持したブラケットで、これは上記フレーム板１Ｂに連設されている。また、図７に示した間隔Ｌは、いたずらや間違いでチップＭＣ，ＳＣ，ＫＣ以外の小物類や小さなコイン等が投入された場合に、これを排出する隙間である。
【００４６】
本発明で用いるＩＣチップリーダライタ部１は以上の如き構成であるから、先ず、ガイド通路３を通して第１ガイド口７から図８の（イ）図に示す如く受け入れポジションに位置する振り分けディスク１０の収容室１０Ａに投入された新規な駐車チップＭＣは、排出ゲート１４の底面に設けた読取り書込部１５によってＩＣ情報が読取られて、駐車チップＭＣが正常なものであるか否かが判定され、読取りがＯＫの場合は、必要な情報を書き込んだ後に発行・返却ソレノイド１２に作動信号が送られて、排出ゲート１４が下側に開き、必要な情報（時刻情報等）を書き込んだ駐車チップＭＣを装置の外部に発行するが、上記の読取りがＮＧの場合は、ステッピングモータ１１に作動信号が送られて、振り分けディスク１０を上記（イ）図に於いて反時計回転方向に３／８回転して、ＮＧの駐車チップＭＣを回収口１７に落して装置内に回収する。
【００４７】
また、以上の如く発行された駐車チップＭＣが、装置外部より第２ガイド口８を通して図８の（イ）図の如く受け入れポジションＤＲの収容室１０Ａに投入された場合も、上記読取りの可否が判定されて、ＮＧの場合は排出ゲート１４を開いてＮＧの駐車チップＭＣを装置外に送り戻すが、ＯＫの場合は、読取ったＩＣ情報に基づいて演算した料金等を装置の外部に設けた表示部に表示した後、振り分けディスク１０を図８の（ロ）図に示すように時計回転方向に９０°回転して、ＯＫの駐車チップＭＣを待機ポジションに待機させ、受け入れポジションＤＲに位置する収容室１０ＡへのサービスチップＫＣの受け入れを用意する。
【００４８】
もし、サービスチップＫＣの投入がない場合は、振り分けディスク１０をホームポジションに戻して、読取り書込部１５が駐車チップＭＣに廃券処理を行い、次いで、振り分けディスク１０を反時計回転方向に３／８回転して、廃券処理した駐車チップＭＣを回収口１７に落して回収するが、サービスチップＫＣが投入されて受け入れポジションＤＲの収容室１０Ａに収容された場合は、投入されたサービスチップＫＣから読取り書込部１５が情報を読取ってこれを演算部に送って、その情報が割引情報である場合は、その割引額を減じた新たな駐車料金を計算して、この料金を表示部に表示する。
【００４９】
また、上記の如く情報が読取られたサービスチップＫＣは、読取りを終えると直ちに読取り書込部１５によって廃券処理が成され、次いで、振り分けディスク１０を図８の（ハ）図に示すように反時計回転方向に３／８回転して、廃券処理済みのサービスチップＫＣを回収口１７に落して回収すると共に、更に始めに投入された駐車チップＭＣも廃券処理を施した後、上記のサービスチップＫＣと同様に振り分けディスク１０の反時計回転方向への回転に従って回収口１７に落されて回収される。
【００５０】
尚、上記のサービスチップＫＣを２枚以上使用する場合は、図８の（ロ）図と（ハ）図に示した動作を繰返し行うことによって、更にその割引額を高めることを可能にする。
【００５１】
上記図４乃至図８に示したＩＣチップリーダライタ部１は、いずれも各チップのガイド口７，８を２箇所設けた構成になっているが、図９及び図１０では新規駐車チップＭＣの発行と、発行済み駐車チップＭＣの投入口やパスチップＳＣの投入口、及び、サービス用に用いるサービスチップＫＣの投入口を、全て１つのガイド口２０でまかなう様に構成したものであって、図９の（イ）図、（ロ）図、（ハ）図は、前述した駐車券発行機３０の新規駐車チップＭＣの受け入れ状態と、情報の読取り書き込みの状態、及び、書き込みを終えた駐車チップＭＣを装置外部に排出する状態を順番に説明したもので、これ等の図面に於いて、ＤＸは受け入れポジション、ＤＹは読取り書込部１５によるアクセスポジション、ＤＺは排出ポジションを示し、更に図中右側の収容室１０Ａの位置が回収口１７（図１０参照）が開口された回収ポジションとなる仕組に成っている。
【００５２】
図１０は、ガイド口２０を１つにした装置であって、且つ、前述した駐車料金精算機４０の内部に於いて、上記発行された駐車チップＭＣに加えて、１枚又は２枚のサービスチップＫＣが投入された時の処理手順を順番に説明したものであって、（イ）図は使用した駐車チップＭＣに引き続いて、サービスチップＫＣが投入された状況を示し、（ロ）図は更に２枚目のサービスチップＫＣが続けて投入された状況を示したものであって、（ハ）図は振り分けディスク１０を（イ）図の状態から反時計回転方向に２７０°回転して、情報の読取りと廃券処理を行った使用済み駐車チップＭＣを回収口１７に落し込んで回収した状態を示し、この時点で、２つのサービスチップＫＣ，ＫＣの情報が読取られていて、（イ）図の状態で演算表示された料金は、これ等サービス情報によって減じられ、その料金が新たに表示部に表示されることになる。
【００５３】
更に（ニ）図は、情報の読取りと同時に廃券処理された２枚のサービスチップＫＣ，ＫＣを、振り分けディスク１０の反時計方向への回転に従って、順次回収口１７に落し込んで回収している状況を示したものであって、引き続きサービスチップＫＣを投入すれば、更にその割引額を多くできることは前記図４乃至図８に示した実施例と同様である。
【００５４】
図１１は、上述したＩＣチップリーダライタ部１を前記駐車券発行機３０に実施した装置の電気的構成を説明したブロック図であって、制御部の中心を構成するＣＰＵ３１と、システムプログラムを格納したメモリ３２の間にバス３３を介して接続したインターフエイス３４には、車輌検知信号受信部３５と、パスチップ投入口開閉ソレノイド３６と、駐車チップ発行釦３０Ａと、時計回路３０Ｔと、チップ抜き取りセンサー３７と、発行チップ回収ソレノイド３８と、入口ゲート開信号発信部３９が接続され、更にこのインターフエイス３４にバス３４Ｘを介して接続したＩＣチップリーダライタ部１の制御部には、前述したフィーダソレノイド６と読取り書込部１５と発行、返却ソレノイド１２と、２つのチップ投入センサ４，９と、ステッピングモータ１１と、位置決めセンサ１６が接続されていて、夫々がメモリ３２に格納されたシステムプログラムに従って、ＣＰＵ３１の監視下で上述した各動作を行う仕組に成っている。
【００５５】
更に図１２は、上述したＩＣチップリーダライタ部１を前述した駐車料金精算機４０に実施した装置の電気的構成を説明したブロック図であって、ＣＰＵ４１とメモリ４２の間にバス４３を介して接続したインターフエイス４４には、料金表示器４０Ａと、チップ投入口シャッタソレノイド４５と、投入金額読取部４６と、釣銭支払部４７と、係員呼出ボタン４０Ｄと、車輌検知信号受信部４８と、プリンタ部４９と、出口ゲート開信号発信部５０と、精算中止ボタン４０Ｈが接続され、更に、このインターフエイス４４には、バス４４Ｘとを介して前記図１１で示したのと同じ構成のＩＣチップリーダライタ部１が接続されていて、夫々がメモリ４２に格納されたシステムプログラムに従って、ＣＰＵ４１の監視下で上述した各動作を行う仕組に成っている。
【００５６】
以上述べた如く、図４乃至図１０に示した構成のＩＣチップリーダライタ部１は、駐車券発行機３０と駐車料金精算機４０のいずれにも実施して、夫々駐車チップＭＣの発行処理（入庫処理）や、各チップＭＣ，ＳＣ，ＫＣを用いた駐車料金の精算処理（出庫処理）を行うことができるのであるが、次に、これ等各チップＭＣ，ＳＣ，ＫＣを取扱う駐車券発行機３０と、駐車料金精算機４０の動作フローを、図１３乃至図１７に示したチヤートに従って説明する。
【００５７】
図１３と図１４は駐車券発行機３０の動作フローを示したものであって、図１３に示したステップＳ１からステップＳ１２の各処理ステップと、このステップＳ１２に続く図１４に示したステップＳ２３からステップＳ２９に至る各フローは、駐車チップ発行釦３０ＡのＯＮに基づいて入庫時刻を記録した駐車チップＭＣを発行して、車輌を入庫させる通常の入庫処理手順を示したものであり、また、図１４に示したステップＳ１３からステップＳ２９に至る各フローは、定期券等のパスチップＳＣを用いて車輌を入庫させる処理手順を説明したものである。
【００５８】
また、図１５乃至図１７は、駐車料金精算機４０の動作フローを示したものであって、図１５に示したステップＳ３０からステップＳ４３′に至る各フローは、駐車チップＭＣ又はパスチップＳＣを用いて車輌を出庫させる場合の処理手順を示し、図１６と図１７に示したステップＳ４４からステップＳ７１に至るフローは、サービスチップＫＣの使用によって駐車料金を減額して精算した後、車輌を出庫させる手順と、精算を中止した場合の処理手順を説明したものである。
【００５９】
【発明の効果】
以上述べた次第で、本発明に係るＩＣタグを用いた駐車券発行装置及び駐車料金精算装置によれば、投入された各種チップを振り分けディスクの収容室に収容して、この振り分けディスクを回転しながら、各チップに対する情報のリード・ライトを行ったり、各チップに情報を書き込んで発行したり、一時待機させたり、使用済み又は使用不可能なチップを廃券処理して回収口に回収したりできるため、ＩＣコインを下方に転動させながらこれ等の各処理を行ったり、ＩＣタグをコンベヤで搬送しながらこれ等の処理を行う従来の処理装置に比較して、駐車券発行機と駐車料金精算装置全体の構造を簡単に、且つ、コンパクトに造ることができると共に、処理時間の大幅な短縮を可能にするものであって、丈夫で繰返しの使用を可能にしたタグチップを使用した点と相俟って、駐車場の入出管理に用いて洵に好適なものである。
【図面の簡単な説明】
【図１】本発明に係るＩＣタグを用いた駐車券発行装置及び駐車料金精算装置を実施する駐車場の全体を説明した構成図である。
【図２】駐車券発行機の正面図である。
【図３】駐車料金精算機の正面図である。
【図４】本発明で用いるＩＣチップリーダライタ部の側断面図である。
【図５】同じく平面図である。
【図６】同じく要部の平面図である。
【図７】同じく要部の側断面図である。
【図８】（イ）図、（ロ）図、（ハ）図は振り分けディスクの回転による各チップの受け入れと読取りと回収の各処理状況を順番に説明した説明図である。
【図９】（イ）図、（ロ）図、（ハ）図は本発明の他の実施例に於ける各チップの受け入れと読取りと放出の各処理状況を順番に説明した説明図である。
【図１０】（イ）図、（ロ）図、（ハ）図、（ニ）図は本発明の他の実施例に於けるサービスチップの受け入れと読取りと回収の処理状況を順番に説明した説明図である。
【図１１】本発明に係る駐車券発行装置の電気的構成を説明したブロック図である。
【図１２】本発明に係る駐車料金精算装置の電気的構成を説明したブロック図である。
【図１３】駐車券（チップ）発行機の動作を説明したフローチヤートである。
【図１４】図１３のフローチヤートの続きを説明したフローチヤートである。
【図１５】駐車料金精算機の動作を説明したフローチヤートである。
【図１６】図１５に示したフローチヤートの続きを説明したフローチヤートである。
【図１７】図１６に示したフローチヤートの続きを説明したフローチヤートである。
【符号の説明】
ＭＣ                  駐車チップ
ＳＣ                  パスチップ
ＫＣ                  サービスチップ
１                    ＩＣチップリーダライタ部
１Ａ                  受け板
３                    ガイド通路
４，９                チップ投入センサ
５Ａ                  チップストッパー
６                    フィーダソレノイド
７                    第１ガイド口
８                    第２ガイド口
１０                  振り分けディスク
１０Ｍ                読取りマーク
１０Ａ                収容室
１１                  ステッピングモータ
１２                  発行、返却ソレノイド
１４                  排出ゲート
１５                  読取り書込部
１６                  位置決めセンサ
１７                  回収口
２０                  ガイド口
ＤＲ                  受け入れポジション
【図１】
0003542561.tif 000002
【図２】
0003542561.tif 000003
【図３】
0003542561.tif 000004
【図４】
0003542561.tif 000005
【図５】
0003542561.tif 000006
【図６】
0003542561.tif 000007
【図７】
0003542561.tif 000008
【図８】
0003542561.tif 000009
【図９】
0003542561.tif 000010
【図１０】
0003542561.tif 000011
【図１１】
0003542561.tif 000012
【図１２】
0003542561.tif 000013
【図１３】
0003542561.tif 000014
【図１４】
0003542561.tif 000015
【図１５】
0003542561.tif 000016
【図１６】
0003542561.tif 000017
【図１７】
0003542561.tif 000018